(57)【要約】【課題】  折り畳み機能を有する携帯端末であって、ユーザが、待ち受け画面に表示する画像を容易に切り替えることができる携帯端末を提供する。【解決手段】  携帯電話のＣＰＵは、折り畳み機構が展開された「開状態」が発生すると（Ｓ４０にてＹＥＳ）、記憶部に記憶されている「開状態」発生回数Ｎをインクリメントするステップ（Ｓ４２）と、「開状態」発生回数Ｎがユーザ指定回数である場合（Ｓ４４にてＹＥＳ）、待ち受け画像指定処理を行うステプ（Ｓ４６）と、「開状態」回数Ｎが０に初期化されるステップ（Ｓ４８）と、指定された画像をメイン画面およびサブ画面に表示するステップ（Ｓ５０）とを含むプログラムを実行する。【選択図】        図４
2006319561.tif 000002
【特許請求の範囲】
【請求項１】
折り畳み機構を有する携帯端末であって、
待ち受け画面として画像を含む情報を表示するための表示手段と、
前記折り畳み機構の状態を検知するための検知手段と、
前記折り畳み機構の状態に対応して、前期画像を切り替えるための切替手段とを含む、携帯端末。
【請求項２】
前記検知手段は、前記折り畳み機構が使用された回数を計数するための手段を含み、
前記切替手段は、前記回数に対応して、前記画像を切り替えるための手段を含む、請求項１に記載の携帯端末。
【請求項３】
前記切替手段は、計数された回数が予め定められた回数になると、前記画像を切り替えるための手段を含み、
前記携帯端末は、前記予め定められた回数をユーザが指定するための手段をさらに含む、請求項２に記載の携帯端末。
【請求項４】
前記携帯端末は、
前記画像を切り替える要求としてのユーザによる操作を検知するための手段と、
前記操作に基づいて前記画像を切り替えるための手段とをさらに含む、請求項１〜３のいずれかに記載の携帯端末。
【請求項５】
前記携帯端末は、
予め定められた時間の経過を検知するための手段と、
前記時間の経過に基づいて前記画像を切り替えるための手段とをさらに含む、請求項１〜４のいずれかに記載の携帯端末。
【請求項６】
前記携帯端末は、前記予め定められた時間をユーザが指定するための手段をさらに含む、請求項５に記載の携帯端末。
【請求項７】
前記携帯端末は、
待ち受け画面として、複数の画像を記憶するための手段と、
前記複数の画像の切り替え順序を指定するための手段とをさらに含む、請求項１〜６のいずれかに記載の携帯端末。
【請求項８】
折り畳み機構を有する携帯端末であって、
待ち受け画面として画像を含む情報を表示するための表示手段と、
前記折り畳み機構の状態を検知するための検知手段と、
前記折り畳み機構の状態に対応して、前期画像を切り替えるための第１の切替手段と、
前記画像を切り替える要求としてのユーザによる操作を検知するための手段と、
前記操作に基づいて前記画像を切り替えるための第２の切替手段と、
予め定められた時間の経過を検知するための手段と、
前記時間の経過に基づいて前記画像を切り替えるための第３の切替手段と、
前記第１の切替手段、前記第２の切替手段および前記第３の切替手段のいずれか１つを選択するための選択手段とを含む、携帯端末。
【請求項９】
前記携帯端末は、携帯電話である、請求項１〜８のいずれかに記載の携帯端末。
【発明の詳細な説明】
【技術分野】
【０００１】
本発明は、折り畳み機構を有する携帯端末に関し、特に、待ち受け画像を容易に切り替えることができる携帯端末に関する。
【背景技術】
【０００２】
最近の携帯電話を始めとする携帯端末の機能の１つとして、携帯端末のユーザが、待ち受け画面（壁紙）などに自己の好みの画像を表示できるという機能がある。
【０００３】
このような、待ち受け画面などに自己の好みの画像を表示する技術が、たとえば特開２００３−２７４０９８号公報（特許文献１）、特開２００３−２５００７３号公報（特許文献２）に開示されている。
【０００４】
特許文献１に開示された情報端末は、画像形成装置に接続されるとともに、画像表示装置と、画像形成装置から送信された画像データを受信する受信装置と、受信手段によって受信された画像データを基に、画像表示部に背景画像の表示を行う表示装置とを含む。この公報に開示された発明によると、画像形成装置に接続された情報端末の表示画面上に、画像形成装置から送信した画像を背景画像（壁紙画像）として表示することができる。
【０００５】
特許文献２に開示された携帯端末は、他の通信機器との間で通信の接続処理が完了すると携帯端末における表示画素数と必要に応じて表示色数等の表示情報を他の通信機器に送信する送信装置と、送信した表示情報に適合した画像を他の通信機器から受信する受信装置と、受信した画像を壁紙として表示する表示装置とを含む。この公報に開示された発明によると、電子カメラにて撮像した画像を容易に携帯端末の表示装置の壁紙、待ち受け画面、又はスクリーンセーバとして表示することができる。
【特許文献１】特開２００３−２７４０９８号公報
【特許文献２】特開２００３−２５００７３号公報
【発明の開示】
【発明が解決しようとする課題】
【０００６】
しかしながら、特許文献１および特許文献２に開示された情報端末および携帯端末では、情報端末および携帯端末のユーザが、待ち受け画面として表示する画像を１枚しか設定することができなかった。このため、待ち受け画面として表示する画像を切り替えたい場合には、そのたびに端末に記憶されている画像を表示し、切り替えたい画像を選択する操作をする必要があった。
【０００７】
本発明は、上述の問題点を解決するためになされたものであって、その目的は、携帯端末のユーザが、待ち受け画面として表示する画像を切り替えたい場合に、そのたびに切り替えたい画像を選択する操作をすることなく、画像を容易に切り替えることができる携帯端末を提供することである。
【課題を解決するための手段】
【０００８】
第１の発明に係る携帯端末は、折り畳み機構を有する携帯端末であって、待ち受け画面として画像を含む情報を表示するための表示手段と、折り畳み機構の状態を検知するための検知手段と、折り畳み機構の状態に対応して、画像を切り替えるための切替手段とを含む。
【０００９】
第１の発明によると、表示手段は、様々な情報を表示するとともに、待ち受け画面としての画像も表示する。検知手段は、折り畳み機構の状態を検知する。切替手段は、折り畳み機構の状態（たとえば折り畳み機構の開閉回数）に対応して、画像を切り替える。これにより、携帯端末のユーザが、待ち受け画面として表示する画像を切り替えたい場合に、そのたびに切り替えたい画像を選択する操作をする必要がなくなる。その結果、待ち受け画像を容易に切り替える携帯端末を提供できる。
【００１０】
第２の発明に係る携帯端末においては、第１の発明の構成に加えて、検知手段は、折り畳み機構が使用された回数を計数するための手段を含み、切替手段は、使用された回数に対応して、画像を切り替えるための手段を含む。
【００１１】
第２の発明によると、検知手段は、折り畳み機構が使用された回数を計数する。切替手段は、使用された回数に対応して、画像を切り替える。これにより、携帯端末のユーザは、折り畳み機構が使用された回数に対応させて、待ち受け画面として表示する画像を切り替えることができる。
【００１２】
第３の発明に係る携帯端末においては、第２の発明の構成に加えて、切替手段は、計数された回数が予め定められた回数になると、画像を切り替えるための手段を含む。また、携帯端末は、予め定められた回数をユーザが指定するための手段をさらに含む。
【００１３】
第３の発明によると、切替手段は、計数された回数が予め定められた回数になると、画像を切り替える。指定するための手段は、ユーザの指示により予め定められた回数を指定する。これにより、携帯端末のユーザが、画像を切り替える回数を自由に変更することができる。
【００１４】
第４の発明に係る携帯端末は、第１〜第３の発明のいずれかの発明の構成に加えて、画像を切り替える要求としてのユーザによる操作を検知するための手段と、操作に基づいて画像を切り替えるための手段とをさらに含む。
【００１５】
第４の発明によると、検知するための手段は、画像を切り替える要求としてのユーザによる操作を検知する。画像を切り替えるための手段は、操作に基づいて画像を切り替える。これにより、携帯端末のユーザは、待ち受け画面として表示する画像を切り替える要求としての操作をすることによっても、画像を切り替えることができる。
【００１６】
第５の発明に係る携帯端末は、第１〜４の発明のいずれかの発明の構成に加えて、予め定められた時間の経過を検知するための手段と、時間の経過に基づいて、画像を切り替えるための手段とをさらに含む。
【００１７】
第５の発明によると、時間の経過を検知するための手段は、予め定められた時間の経過を検知する。画像を切り替えるための手段は、時間の経過に基づいて、画像を切り替える。これにより、携帯端末のユーザは、予め定められた時間が経過することによっても、待ち受け画面として表示する画像を切り替えることができる。
【００１８】
第６の発明に係る携帯端末は、第５の発明の構成に加えて、定められた時間をユーザが指定するための手段をさらに含む。
【００１９】
第６の発明によると、指定するための手段は、定められた時間を指定する。これにより、携帯端末のユーザは、待ち受け画面として表示する画像が自動的に切り替わる経過時間を、自由に変更することができる。
【００２０】
第７の発明に係る携帯端末は、第１〜６の発明のいずれかの発明の構成に加えて、待ち受け画面として、複数の画像を記憶するための手段と、複数の画像の切り替え順序を指定するための手段とをさらに含む。
【００２１】
第７の発明によると、記憶するための手段は、待ち受け画面として、複数の画像を記憶する。指定するための手段は、複数の画像の切り替え順序を指定する。これにより、携帯端末のユーザは、待ち受け画面に表示できる画像のうち、待ち受け画面として表示したい複数の画像を記憶でき、さらに複数の画像の切り替え順序も任意に指定することができる。
【００２２】
第８の発明に係る携帯端末は、折り畳み機構を有する携帯端末であって、待ち受け画面として画像を含む情報を表示するための表示手段と、折り畳み機構の状態を検知するための検知手段と、折り畳み機構の使用に対応して、画像を切り替えるための第１の切替手段と、画像を切り替える要求としてのユーザによる操作を検知するための手段と、操作に基づいて画像を切り替えるための第２の切替手段と、予め定められた時間の経過を検知するための手段と、時間の経過に基づいて画像を切り替えるための第３の切替手段と、第１の切替手段、第２の切替手段および第３の切替手段のいずれか１つを選択するための選択手段とを含む。
【００２３】
第８の発明によると、表示手段は、待ち受け画面として画像を含む情報を表示する。検知手段は、折り畳み機構の状態を検知する。第１の切替手段は、折り畳み機構の使用に対応して、画像を切り替える。操作を検知するための手段は、画像を切り替える要求としてのユーザによる操作を検知する。第２の切替手段は、ユーザによる操作に基づいて画像を切り替える。時間の経過を検知するための手段は、予め定められた時間の経過を検知する。第３の切替手段は、時間の経過に基づいて画像を切り替える。選択手段は、第１の切替手段、第２の切替手段および第３の切替手段のいずれか１つを選択する。これにより、携帯端末のユーザは、待ち受け画面として表示する画像を切り替える手段を選択することができる。その結果、待ち受け画面設定のエンターテイメント性が向上する。
【００２４】
第９の発明に係る携帯端末においては、第１〜８の発明のいずれかの発明の構成に加えて、携帯端末は、携帯電話である。
【００２５】
第９の発明によると、切替手段は、携帯電話の待ち受け画面として表示する画像を切り替える。これにより、多くの人々が所持している携帯電話の待ち受け画面として表示する画像を切り替えることができる。
【発明を実施するための最良の形態】
【００２６】
以下、図面を参照しつつ、本発明の実施の形態について説明する。
以下の説明では、同一の部品には同一の符号を付してある。それらの名称および機能も同一である。したがって、それらについての詳細な説明は繰り返さない。尚、以下の説明においては、携帯端末の一例が携帯電話であるとして説明する。他の携帯端末の一例としてＰＤＡ（Personal Digital Assistant）がある。
＜第１の実施の形態＞
図１を参照して、本実施の形態に係る折り畳み機能を有する携帯電話の一例である、いわゆるクラムシェル型と呼ばれる折り畳み機能を有する携帯電話１０について説明する。尚、折り畳み機能を有する携帯電話の他の一例として、いわゆるスイベル型と呼ばれる回転機能付き折り畳み機能を有する携帯電話がある。
【００２７】
携帯電話１０は、筐体上部３０と筐体下部３２と回転軸３４とから構成される。筐体上部３０と筐体下部３２は、回転軸３４を中心に回転可能に連結され、折り畳むことができる。図１（ａ）には、筐体上部３０および筐体下部３２を展開させた時の状態における操作面側が示され、図１（ｂ）には折り畳んだ時の状態が示されている。電話の通話時には、筐体上部３０および筐体下部３２を展開させて使用する一方、通話を行わない場合には、操作面が内側、背面が外側となるように折り畳んで小型化することができる。
【００２８】
筐体上部３０には、音声を出力するためのスピーカ２０と、液晶表示装置からなるメイン表示部２２と、カメラ部４０と、ライト部４２と、メイン表示部２２よりも表示領域の小さい液晶表示装置からなるサブ表示部４４と、ユーザによる操作が入力されるキー操作部４６とが設けられている。
【００２９】
筐体下部３２には、ユーザによる操作が入力されるキー操作部２４と、音声が入力されるマイクロフォン２６とが設けられている。
【００３０】
回転軸３４は、筐体上部３０および筐体下部３２の折り畳み状態を検知する折り畳み状態検知センサ１０８を内蔵している。
【００３１】
折り畳み状態検知センサ１０８は、筐体上部３０および筐体下部３２の回転角度により、折り畳んだ状態なのか、展開させた状態なのかを検知する。折り畳んだ時の状態（図１（ｂ））のときに「閉状態」と検知し、その他の場合は「開状態」と検知する。
【００３２】
図２を参照して、図１に示す携帯電話１０の制御ブロックについて説明する。
この携帯電話１０は、制御部１２０と、制御部１２０に接続された折り畳み状態検知センサ１０８と、制御部１２０に接続されたキー操作部２４およびキー操作部４６と、カメラ部４０と、制御部１２０に接続され、メイン表示部２２およびサブ表示部４４の表示制御を行う表示制御部１０６と、表示制御部１０６に接続され、画像を表示するメイン表示部２２およびサブ表示部４４と、表示制御部１０６に接続され、時間の経過を検知するタイマ１１０とを含む。
【００３３】
制御部１２０は、携帯電話１０の主要な動作制御を行うＣＰＵ（Central Processing Unit）１００と、ＣＰＵに接続され、ＣＰＵ１００で実行される処理の中間データを記憶するためのメモリ１０２と、ＣＰＵ１００に接続され、画像データ等を記憶する記憶部１０４とを含む。
【００３４】
図３を参照して、携帯電話１０のＣＰＵ１００で実行されるプログラムの制御構造について説明する。このプログラムは、「開状態」による切替初期設定処理に関する。尚、「開状態」による切替初期設定においては、（１）メイン画面２２およびサブ画面４４のいずれに表示する画像を切り替えるのか、（２）切り替わる画像、（３）切り替え順序、（４）「閉状態」から「開状態」となる回数（以下、「開状態」の回数という）、の４つの情報を設定する。
【００３５】
ステップ（以下、ステップをＳと略す）１０にて、ＣＰＵ１００は、切り替わる画面が、メイン画面２２およびサブ画面４４の少なくとも１つであることが設定されたか否かを判断する。この判断は、ユーザにより、メイン画面２２およびサブ画面４４の少なくとも１つが設定されたか否かにより行われる。メイン画面が設定されると（Ｓ１０にてメイン）、処理はＳ１２に移される。サブ画面が設定されると（Ｓ１０にてサブ）、処理はＳ１６に移される。メイン画面およびサブ画面の両方が設定されると（Ｓ１０にて両方）、処理はＳ１４に移される。
【００３６】
Ｓ１２にて、ＣＰＵ１００は、「開状態」によりメイン画面の切り替えを有効にする処理を行い、記憶部１０４に記憶する。
【００３７】
Ｓ１４にて、ＣＰＵ１００は、「開状態」によりメイン画面およびサブ画面の切り替えを有効にする処理を行い、記憶部１０４に記憶する。
【００３８】
Ｓ１６にて、ＣＰＵ１００は、「開状態」によりサブ画面の切り替えを有効にする処理を行い、記憶部１０４に記憶する。
【００３９】
Ｓ１８にて、ＣＰＵ１００は、記憶部１０４から待ち受け画面として表示することが可能な画像を記憶部１０４から読み出し、メイン表示部２２に一覧として表示する。
【００４０】
Ｓ２０にて、ＣＰＵ１００は、一覧として表示された画像の中から、待ち受け画面として表示する画像が選択されたか否かを判断する。この判断は、ユーザにより、待ち受け画面として表示する画像が選択されたか否かにより行われる。画像が選択されたと判断されると（Ｓ２０にてＹＥＳ）、処理はＳ２２に移される。もしそうでないと（Ｓ２０にてＮＯ）、処理はＳ２０に戻される。
【００４１】
Ｓ２２にて、ＣＰＵ１００は、テーブルカウンタcntをインクリメントし、メモリ１０２に記憶する。テーブルカウンタcntは、待ち受け画面として表示する画像の設定枚数および画像の切り替え順序を指定するものとして使用される。
【００４２】
Ｓ２４にて、ＣＰＵ１００は、待ち受け画像テーブルImage_table[cnt]を作成し、メモリ１０２に記憶する。尚、待ち受け画像テーブルImage_table[cnt]は、Ｓ２０にて選択された画像と対応付けられて記憶される。
【００４３】
Ｓ２６にて、ＣＰＵ１００は、待ち受け画面として表示する画像の選択が完了したか否かを判断する。この判断は、ユーザにより、待ち受け画面として表示する画像の選択が完了した指示がなされたか否かにより行われる。選択が完了したと判断されると（Ｓ２６にてＹＥＳ）、処理はＳ２８に移される。もしそうでないと（Ｓ２６にてＮＯ）、処理はＳ２０に戻される。
【００４４】
Ｓ２８にて、ＣＰＵ１００は、メモリ１０２に記憶したテーブルカウンタcntおよび待ち受け画像テーブルImage_table[cnt]を記憶部１０４に記憶する。
【００４５】
Ｓ３０にて、ＣＰＵ１００は、待ち受け画面として表示する画像が切り替わる「開状態」の回数を指定するか否かを判断する。この判断は、ユーザにより、「開状態」の回数を指定する指示があったか否かにより行われる。回数を指定すると判断されると（Ｓ３０にてＹＥＳ）、処理はＳ３２に移される。もしそうでないと（Ｓ３０にてＮＯ）、処理は終了する。
【００４６】
Ｓ３２にて、ＣＰＵ１００は、「開状態」の回数が選択されたか否かを判断する。この判断は、ユーザにより、「開状態」の回数が選択されたか否かにより行われる。回数が選択されたと判断されると（Ｓ３２にてＹＥＳ）、処理はＳ３４に移される。もしそうでないと（Ｓ３２にてＮＯ）、処理はＳ３２に戻される。
【００４７】
Ｓ３４にて、ＣＰＵ１００は、ユーザが指定した「開状態」の回数を記憶部１０４に記憶する。
【００４８】
図４を参照して、携帯電話１０のＣＰＵ１００で実行されるプログラムの制御構造について説明する。このプログラムは、「開状態」による待ち受け画面として表示する画像の切替処理に関する。
【００４９】
Ｓ４０にて、ＣＰＵ１００は、「開状態」が発生したか否かを判断する。この判断は、折り畳み状態検知センサ１０８が、「閉状態」を検知していた状態から「開状態」を検知したか否かにより行われる。「開状態」が発生したと判断されると（Ｓ４０にてＹＥＳ）、処理はＳ４２に移される。もしそうでないと（Ｓ４０にてＮＯ）、処理はＳ４０に戻される。
【００５０】
Ｓ４２にて、ＣＰＵ１００は、記憶部１０４に記憶されている「開状態」発生回数Ｎを読み出し、インクリメントした後、再び記憶部１０４に記憶する。
【００５１】
Ｓ４４にて、ＣＰＵ１００は、「開状態」発生回数Ｎが、ユーザが指定した「開状態」の回数であるか否かを判断する。この判断は、記憶部１０４に記憶された、ユーザが指定した「開状態」の回数と、「開状態」発生回数Ｎを比較することにより行われる。ユーザが指定した「開状態」の回数であると判断されると（Ｓ４４にてＹＥＳ）、処理はＳ４６に移される。もしそうでないと（Ｓ４４にてＮＯ）、処理はＳ５０に移される。
【００５２】
Ｓ４６にて、ＣＰＵ１００は、待ち受け画面として表示する画像の指定処理をする。
Ｓ４８にて、ＣＰＵ１００は、「開状態」発生回数Ｎを０に初期化する。
【００５３】
Ｓ５０にて、ＣＰＵ１００は、Ｓ４６により指定された画像を、Ｓ１２、Ｓ１４およびＳ１６で有効と処理されたメイン画面２２およびサブ画面４４に表示する。
【００５４】
図５を参照して、携帯電話１０のＣＰＵ１００で実行されるプログラムの制御構造について説明する。このプログラムは、待ち受け画像指定処理（図４のＳ４６）に関する。
【００５５】
Ｓ６０にて、ＣＰＵ１００は、テーブルカウンタcntをインクリメントする。
Ｓ６２にて、ＣＰＵ１００は、テーブルカウンタcntが、待ち受け画面としてユーザが設定した画像の枚数の最大値Maxを越えているか否かを判断する。この判断は、図３のＳ２８で記憶部１０４に記憶されたテーブルカウンタcntの最大値Maxと比較することより行われる。最大値Maxを越えていると判断されると（Ｓ６２にてＹＥＳ）、処理はＳ６４に移される。もしそうでないと（Ｓ６２にてＮＯ）、処理はＳ６６に移される。
【００５６】
Ｓ６４にて、ＣＰＵ１００は、テーブルカウンタcntを１に設定する。
Ｓ６６にて、ＣＰＵ１００は、図３のＳ２８で記憶部１０４に記憶されたImage_table[cnt]に対応した画像を、待ち受け画像に指定する。
【００５７】
以上のような構造およびフローチャートに基づく、携帯電話１０の動作について説明する。
[「開状態」による切替初期設定動作]
ユーザが「開状態」の初期設定をする旨を、キー操作部２４から入力すると、図６（ａ）に示す画面がメイン表示部２２に表示される（Ｓ１０）。「メイン画面設定」を選択すると（Ｓ１０にてＹＥＳ）、「開状態」の発生によりメイン画面の切り替えを有効とする処理が行なわれ、その処理内容が記憶部１０４に記憶される（Ｓ１２）。
【００５８】
記憶部１０４から待ち受け画面として表示することが可能な画像が、記憶部１０４から読み出され、図７に示すようにメイン表示部２２に一覧として表示される（Ｓ１８）。ユーザが、待ち受け画面として設定したい画像を選択すると（Ｓ２０にてＹＥＳ）、テーブルカウンタcntが初期値０からインクリメントされて、１とされる（Ｓ２２）。待ち受け画像テーブルImage_table[１]が作成され、Ｓ２０で選択された画像と対応付けられて、メモリ１０２に記憶される（Ｓ２４）。ユーザが画像の選択を続ける場合（Ｓ２６にてＮＯ）、選択が完了するまで処理が繰り返される（Ｓ１８からＳ２４）。
【００５９】
ユーザが画像の選択を完了し（Ｓ２６にてＹＥＳ）、待ち受け画面を切り替える「開状態」の回数を指示する場合（Ｓ３０にてＹＥＳ）、図６（ｂ）に示す画面がメイン表示部２２に表示される（Ｓ３２）。ユーザが「開状態」の回数を選択すると（Ｓ３２にてＹＥＳ)、選択された回数が記憶部１０４に記憶される（Ｓ３４）。
[待ち受け画面切替動作]
「開状態」が発生すると（Ｓ４０にてＹＥＳ）、記憶部１０４に記憶されている「開状態」発生回数Ｎがインクリメントされ、再び記憶部１０４に記憶される（Ｓ４２）。「開状態」発生回数Ｎがユーザ指定回数である場合（Ｓ４４にてＹＥＳ）、待ち受け画像指定処理が行わる（Ｓ４６）。「開状態」発生回数Ｎが０に初期化され（Ｓ４８）、Ｓ４６により指定された画像が、Ｓ１２、Ｓ１４およびＳ１６で有効と処理されたメイン画面２２およびサブ画面４４に表示される（Ｓ５０）。
[待ち受け画像指定動作]
テーブルカウンタcntがインクリメントされる（Ｓ６０）。テーブルカウンタcntが、ユーザが待ち受け画面として表示する画像として設定した枚数の最大値Maxを越えている場合（Ｓ６２にてＹＥＳ）、テーブルカウンタcntは１に設定される（Ｓ６４）。図３のＳ２８で記憶部１０４に記憶されたImage_table[cnt]に対応した画像が、待ち受け画像に指定される（Ｓ６６）。
【００６０】
以上のようにして、本実施の形態に係る携帯電話は、折り畳み機構の状態に応じて、携帯電話の待ち受け画面として表示する画像を切り替えることができる。また、折り畳み機構による携帯電話の開閉の回数に対応して、待ち受け画面として表示する画像を切り替えることができる。また、待ち受け画面に表示できる画像のうち、待ち受け画面として表示したい複数の画像を記憶でき、さらに複数の画像の切り替え順序も任意に指定することができる。これにより、携帯電話のユーザが、待ち受け画面に切り替えたい画像を予め設定しておけば、容易に画像を切り替えることができる。また、携帯電話のユーザが、画像を切り替える回数を指定することにより、画像を切り替えるタイミングを自由に変更することができる。さらに、携帯端末のユーザは、待ち受け画面として表示したい複数の画像を記憶でき、その切り替え順序も任意に指定することができるため、思い通りの画像の切り替えができる。
＜第２の実施の形態＞
以下、本発明の第２の実施の形態について説明する。
【００６１】
本実施の形態に係る携帯電話の外観（図１）および制御ブロック(図２）は、第１の実施の形態に係る携帯電話１０と同じである。また、本実施の形態に係る携帯電話１０のＣＰＵ１００で実行されるプログラムのなかで、「開状態」による切替初期設定処理および待ち受け画像指定処理は、図３、図４および図５に示したフローチャートと同じ制御構造である。よって、これらについての詳細な説明は繰り返さない。
【００６２】
図８を参照して、携帯電話１０のＣＰＵ１００で実行されるプログラムの制御構造について説明する。このプログラムは、選択処理に関する。尚、選択処理においては、待ち受け画面として表示する画像の切り替えを、「開状態」により行うのか、ユーザの操作に基づいて行うのか、時間の経過に基づいて行うのかを選択する。
【００６３】
Ｓ７０にて、ＣＰＵ１００は、待ち受け画面として表示する画像の切り替えを、「開状態」により行うのか、ユーザの操作に基づいて行うのか、時間の経過に基づいて行うのかを判断する。この判断は、ユーザにより、いずれの契機に基づいて、待ち受け画面として表示する画像の切り替えを行うかについての指示がなされたか否かにより行われる。「開状態」に基づいて行うと判断されると（Ｓ７０にて開状態）、処理はＳ７２に移される。ユーザの操作に基づいて行うと判断されると（Ｓ７０にてユーザ操作）、処理はＳ７４に移される。時間の経過に基づいて行うと判断されると（Ｓ７０にて時間）、処理はＳ７６に移される。
【００６４】
Ｓ７２にて、ＣＰＵ１００は、「開状態」による切替初期設定処理（図３）を行う。
Ｓ７４にて、ＣＰＵ１００は、ユーザ操作に基づく切替初期設定処理を行う。尚、本処理は、「開状態」による切替初期設定処理（図３）で説明した処理と比較して、Ｓ３０、Ｓ３２、Ｓ３４の処理を行わずに処理を終了する。その他の処理は同じである。よって、これらについての詳細な説明は繰り返さない。
【００６５】
Ｓ７６にて、ＣＰＵ１００は、時間の経過に基づく切替初期設定処理を行う。
図９を参照して、携帯電話１０のＣＰＵ１００で実行されるプログラムの制御構造について説明する。このプログラムは、時間の経過に基づく切替初期設定処理に関する。尚、図９に示すフローチャートの中で、図３と同じ処理については同じステップ番号を付してある。それらの処理も同じである。従って、それらについての詳細な説明は、繰り返さない。
【００６６】
Ｓ７８にて、ＣＰＵ１００は、時間が指定されたか否かを判断する。この判断は、ユーザにより、時間が指定されたか否かにより行われる。時間が指定されたと判断されると（Ｓ７８にてＹＥＳ)、処理はＳ８０に移される。もしそうでないと(Ｓ７８にてＮＯ)、処理はＳ７８に戻される。
【００６７】
Ｓ８０にて、ＣＰＵ１００は、指定された時間を記憶部１０４に記憶する。
Ｓ８２にて、ＣＰＵ１００は、指定された時間の経過を検知するように、タイマ１１０に指示する。
【００６８】
図１０を参照して、携帯電話１０のＣＰＵ１００で実行されるプログラムの制御構造について説明する。このプログラムは、ユーザ操作に基づく切替処理に関する。
【００６９】
Ｓ９０にて、ＣＰＵ１００は、ユーザの操作があったか否かを判断する。この判断は、ユーザにより、待ち受け画面として表示する画像を切り替える操作が行われたか否かにより行われる。尚、待ち受け画面として表示する画像を切り替える操作は、キー操作部２４から行われる。操作が行われたと判断されると（Ｓ９０にてＹＥＳ）、処理はＳ４６に移される。もしそうでないと（Ｓ９０にてＮＯ）、処理はＳ９０に戻される。
【００７０】
Ｓ４６にて、ＣＰＵ１００は、待ち受け画面として表示する画像の指定処理をする。
Ｓ５０にて、ＣＰＵ１００は、Ｓ４６により指定された画像を、Ｓ１２、Ｓ１４およびＳ１６で有効と処理されたメイン画面２２およびサブ画面４４に表示する。
【００７１】
図１１を参照して、携帯電話１０のＣＰＵ１００で実行されるプログラムの制御構造について説明する。このプログラムは、時間の経過に基づく切替処理に関する。
【００７２】
Ｓ９２にて、ＣＰＵ１００は、タイマ１１０が指定された時間を検知したか否かを判断する。この判断は、Ｓ８０にて記憶部１０４に記憶された時間が経過したことを、タイマが検知したか否かにより行われる。時間を検知したと判断されると（Ｓ９２にてＹＥＳ）、処理はＳ４６に移される。もしそうでないと（Ｓ９２にてＮＯ）、処理はＳ９２に戻される。
【００７３】
Ｓ４６にて、ＣＰＵ１００は、待ち受け画面として表示する画像の指定処理をする。
Ｓ９４にて、ＣＰＵ１００は、パネルセーブ中であるか否かを判断する。パネルセーブ中とは、携帯電話１０の消費電力を抑えるモードに入っていて、メイン画面２２の表示が消えている状態をいう。パネルセーブ中であると判断されると（Ｓ９４にてＹＥＳ）、処理はＳ９６に移される。もしそうでないと（Ｓ９４にてＮＯ）、処理はＳ５０に移される。
Ｓ５０にて、ＣＰＵ１００は、Ｓ４６により指定された画像を、Ｓ１２、Ｓ１４およびＳ１６で有効と処理されたメイン画面２２およびサブ画面４４に表示する。
【００７４】
Ｓ９６にて、ＣＰＵ１００は、指定された時間の経過を検知したことをリセットし、再び時間の経過を検知するようタイマ１１０に指示する。
【００７５】
以上のような構造およびフローチャートに基づく、携帯電話１０の動作について説明する。「開状態」による切替初期設定動作および待ち受け画像指定動作については、第１の実施の形態と同じである。これらについての詳細な説明は繰り返えさない。
[選択動作]
ユーザが、待ち受け画面として表示する画像の切り替えを選択しようとすると、図１２（ａ）に示す画面がメイン表示部２２に表示される。ユーザが、「時間の経過による切替」を選択すると（Ｓ７０にて時間）、第１の実施の形態で説明したように、図６、図７の画面に移る（Ｓ１０〜Ｓ２８）。
【００７６】
図１２（ｂ）に示す画面がメイン表示部２２に表示され（Ｓ７８）、ユーザにより切り替え時間が選択されると（Ｓ７８にてＹＥＳ）、時間の経過の検知が開始される（Ｓ８２）。
【００７７】
「開状態による切替」を選択する場合および「ユーザの操作による切替」を選択する場合は、第１の実施の形態に係る「開状態」による切替初期設定動作と同じである。よって、これらについての詳細な説明は繰り返えさない。
[ユーザ操作に基づく切替動作]
ユーザが、待ち受け画面として表示する画像を切り替える操作をすると（Ｓ９０にてＹＥＳ）、待ち受け画像指定処理が行わる（Ｓ４６）。Ｓ４６により指定された画像が、Ｓ１２、Ｓ１４およびＳ１６で有効と処理されたメイン画面２２およびサブ画面４４に表示される（Ｓ５０）。
[時間の経過に基づく切替動作]
指定された時間が検知されると（Ｓ９２にてＹＥＳ）、待ち受け画像指定処理が行われる（Ｓ４６）。パネルセーブ中でない場合（Ｓ９４にてＮＯ）、Ｓ４６により指定された画像が、Ｓ１２、Ｓ１４およびＳ１６で有効と処理されたメイン画面２２およびサブ画面４４に表示される（Ｓ５０）。指定された時間の経過を検知したことがリセットされ、再び時間の経過の検知が開始される（Ｓ９６）。
【００７８】
以上のようにして、本実施の形態に係る携帯電話は、第１の実施の形態に係る携帯電話に加え、ユーザは、待ち受け画面として表示する画像を切り替えたい場合には、ユーザによる操作によっても、画像を切り替えることができる。また、予め定められた時間が経過することによっても、画像を切り替えることができる。また、予め定められた時間を、自由に変更することができる。さらに、待ち受け画面として表示する画像の切り替えを、「開状態」により行うのか、ユーザの操作に基づいて行うのか、時間の経過に基づいて行うのかを選択することができる。これにより、待ち受け画面設定のエンターテイメント性を向上することができる。
【００７９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００８０】
【図１】本発明の第１の実施の形態に係る携帯電話の構成の外観図である。
【図２】本発明の第１の実施の形態に係る携帯電話のブロック図である。
【図３】本発明の第１の実施の形態に係る携帯電話で実行されるプログラムの制御構造を示すフローチャートである。
【図４】本発明の第１の実施の形態に係る携帯電話で実行されるプログラムの制御構造を示すフローチャートである。
【図５】本発明の第１および第２の実施の形態に係る携帯電話で実行されるプログラムの制御構造を示すフローチャートである。
【図６】本発明の第１の実施の形態に係る携帯電話の動作を示す説明図である。
【図７】本発明の第１の実施の形態に係る携帯電話の動作を示す説明図である。
【図８】本発明の第２の実施の形態に係る携帯電話で実行されるプログラムの制御構造を示すフローチャートである。
【図９】本発明の第２の実施の形態に係る携帯電話で実行されるプログラムの制御構造を示すフローチャートである。
【図１０】本発明の第２の実施の形態に係る携帯電話で実行されるプログラムの制御構造を示すフローチャートである。
【図１１】本発明の第２の実施の形態に係る携帯電話で実行されるプログラムの制御構造を示すフローチャートである。
【図１２】本発明の第２の実施の形態に係る携帯電話の動作を示す説明図である。
【符号の説明】
【００８１】
１０  携帯電話、２０  スピーカ、２２  メイン表示部、  ２４  キー操作部、２６  マイクロフォン、３０  筐体上部、３２  筐体下部、３４  回転軸、４０  カメラ部、
４２  ライト部、４４  サブ表示部、４６  キー操作部、
１００  ＣＰＵ、１０２  メモリ、１０４  記憶部、１０８  折り畳み状態検知センサ、１０６  表示制御部、１１０  タイマ。
【図１】
2006319561.tif 000003
【図２】
2006319561.tif 000004
【図３】
2006319561.tif 000005
【図４】
2006319561.tif 000006
【図５】
2006319561.tif 000007
【図６】
2006319561.tif 000008
【図７】
2006319561.tif 000009
【図８】
2006319561.tif 000010
【図９】
2006319561.tif 000011
【図１０】
2006319561.tif 000012
【図１１】
2006319561.tif 000013
【図１２】
2006319561.tif 000014